(57)【要約】【課題】ノイズの影響を低減して制御装置等の電気的に駆動する内部装置に電気的な誤作動が生じることを防止可能な遊技機を提供する。【解決手段】前面が開口した箱形形状に構成された本体枠と、本体枠内部に配され電気的に駆動する内部装置と、本体枠の開口を塞ぐように本体枠前面側一側方で回動可能に軸支される前扉と、を備える遊技機である。本体枠は、導電性の電気伝導手段を内面に沿って形成する。前扉は、所定幅をもった金属製のプレート部材を額縁状に形成する金属製フレームを周縁部に沿って形成させるとともに、その一側部を金属製の蝶番機構を介して、本体枠の内面に回動可能に軸支され、金属製フレームは蝶番機構を介して電気伝導手段と電気的に接続されている。【選択図】図２
2007105544.tif 000002
【特許請求の範囲】
【請求項１】
前面が開口した箱形形状に構成された本体枠と、該本体枠内部に配され電気的に駆動する内部装置と、該本体枠の開口を塞ぐように該本体枠前面側一側方で回動可能に軸支される前扉と、を備える遊技機において、
前記本体枠は、
少なくとも一面に導電性の箔シールを貼付した面板を、箔シールを有する面が前記本体枠の内面を構成するように箱形形状に組み立てられ、
前記箔シールにより導電性の電気伝導手段を内面に沿って形成し、
前記前扉は、
当該前扉の上半部を構成する前扉上部構成部材と、当該前扉の下半部を構成する前扉下部構成部材と、から構成され、
所定幅をもった金属製のプレート部材を額縁状に形成する金属製フレームを周縁部に沿って形成させるとともに、該金属製フレームは前記電気伝導手段と電気的に接続され、
前記電気伝導手段は、
該電気伝導手段を構成する前記各々の箔シールどうしを相互に電気伝導可能な状態とし、
前記金属製フレームは、
前記前扉上部構成部材と前記前扉下部構成部材とに跨る状態で取り付けられ、前記前扉裏面側の一方の側部にて、前記前扉上部構成部材と前記前扉下部構成部材とを上下に結合する第１プレート部材と、
前記前扉上部構成部材と前記前扉下部構成部材とに跨る状態で取り付けられ、前記前扉裏面側の他方の側部にて、前記前扉上部構成部材と前記前扉下部構成部材とを上下に結合する第２プレート部材と、
前記第１プレート部材と前記第２プレート部材との間に架設され、前記前扉上部構成部材の裏面側にて、前記第１プレート部材と前記第２プレート部材とを相互に連結する第３プレート部材と、
前記第１プレート部材と前記第２プレート部材との間に架設され、前記前扉下部構成部材の前面側にて、前記第１プレート部材と前記第２プレート部材とを相互に連結する第４プレート部材と、
遊技媒体を貯留可能な貯留部が形成された受皿を備え、
前記前扉下部構成部材は、
該前扉下部構成部材の前面下部に、前記受皿が取り付けられる受皿取付面が形成され、
前記受皿取付面は、
遊技媒体流下樋により流下案内された前記遊技媒体を前記受皿に払い出すための第１遊技媒体払出口を有し、
前記第４プレート部材は、
前記受皿取付面を覆う取付面被覆部と、
前記遊技媒体流下樋の出口近傍の傾斜した底面を覆う樋出口被覆部と、
前記前扉下部構成部材の第１遊技媒体払出口に対応して形成された第２遊技媒体払出口と、を備え、
前記受皿は、
該貯留部底面を覆う底面金属プレートを敷設するとともに、
該受皿の奥側の起立面は、前記第４プレート部材により構成され、
該第４プレート部材と前記第１プレート部材と前記底面金属プレートと、
および、前記第４プレート部材と前記第２プレート部材と前記底面金属プレートとは、    各々に形成された取付孔に止着部材を通すことにより止着され、電気伝導可能な状態で互いに接続されていることを特徴とする遊技機。
【請求項２】
前記第１プレート部材と前記第２プレート部材との下部には、それぞれ段差部が形成され、該段差部を境とする下側部分が、上側部分よりも前方にせり出し、
前記前扉下部構成部材は、
該前扉下部構成部材の下部に、前記第１プレート部材と前記第２プレート部材の前記下側部分がそれぞれ背面側から嵌め込まれることにより、該下側部分を該前扉下部構成部材の前面側に臨ませるための第１開口部と第２開口部が形成され、
前記第１プレート部材の前記下側部分は、前記第１開口部を介して前記前扉下部構成部材の前面側に臨ませることで、該下側部分の前面が前記第４プレート部材の裏面下部に当接されるとともに、
前記第２プレート部材の前記下側部分は、前記第２開口部を介して前記前扉下部構成部材の前面側に臨ませることで、該下側部分の前面が前記第４プレート部材の裏面下部に当接されることを特徴とする請求項１に記載の遊技機。
【発明の詳細な説明】
【技術分野】
【０００１】
本発明は、本体枠に回動可能に軸支された前扉を有し、該本体枠内部には、電気的に駆動する内部装置を備える遊技機に関する。
【背景技術】
【０００２】
遊技機、例えば、パチスロ遊技機は、前面が開口した箱形形状の本体枠と、この本体枠の開口部の一側方に回動可能に軸支されることで該本体枠に対し開閉可能とされ、常時は開口部を塞ぐ状態にロックされた前扉と、を備える概略構成となっている。このうち、本体枠の内部には、ホッパー等のメダル払出装置、複数の図柄を可変表示可能なリール式等の可変表示装置および制御装置などが備えられる一方で、前扉には、各種操作部、並びに、これら操作部の操作状態を検出する検出手段（例えば、センサ等）などが備えられている。
【発明の開示】
【発明が解決しようとする課題】
【０００３】
ところで、本体枠は、ホッパー、制御装置、従制御装置および可変表示装置等の電気的に駆動する内部装置を収納しているため、内部で電気的にノイズが発生しやすい状況にある。例えば、ホッパーにより一度に大量のメダルの払い出しを行う場合には、ノイズが発生しやすく、このように発生したノイズにより制御装置が影響を受けて正常に動かなくなって、遊技に影響を及ぼす可能性がある。また、前扉に設けられたセンサ等の検出手段も、発生したノイズにより影響を受けて誤作動する可能性がある。
【０００４】
本発明は、上記問題点に鑑みてなされたもので、ノイズの影響を低減して制御装置等の電気的に駆動する内部装置に電気的な誤作動が生じることを防止可能な遊技機を提供することを目的とする。
【課題を解決するための手段】
【０００５】
上記課題を解決するため、請求項１記載の発明は、前面が開口した箱形形状に構成された本体枠と、該本体枠内部に配され電気的に駆動する内部装置と、該本体枠の開口を塞ぐように該本体枠前面側一側方で回動可能に軸支される前扉と、を備える遊技機において、前記本体枠は、少なくとも一面に導電性の箔シールを貼付した面板を、箔シールを有す面が前記本体枠の内面を構成するように箱形形状に組み立てられ、前記箔シールにより導電性の電気伝導手段を内面に沿って形成し、前記前扉は、当該前扉の上半部を構成する前扉上部構成部材と、当該前扉の下半部を構成する前扉下部構成部材と、から構成され、所定幅をもった金属製のプレート部材を額縁状に形成する金属製フレームを周縁部に沿って形成させるとともに、該金属製フレームは前記電気伝導手段と電気的に接続され、前記電気伝導手段は、該電気伝導手段を構成する前記各々の箔シールどうしを相互に電気伝導可能な状態とし、前記金属製フレームは、前記前扉上部構成部材と前記前扉下部構成部材とに跨る状態で取り付けられ、前記前扉裏面側の一方の側部にて、前記前扉上部構成部材と前記前扉下部構成部材とを上下に結合する第１プレート部材と、前記前扉上部構成部材と前記前扉下部構成部材とに跨る状態で取り付けられ、前記前扉裏面側の他方の側部にて、前記前扉上部構成部材と前記前扉下部構成部材とを上下に結合する第２プレート部材と、前記第１プレート部材と前記第２プレート部材との間に架設され、前記前扉上部構成部材の裏面側にて、前記第１プレート部材と前記第２プレート部材とを相互に連結する第３プレート部材と、前記第１プレート部材と前記第２プレート部材との間に架設され、前記前扉下部構成部材の前面側にて、前記第１プレート部材と前記第２プレート部材とを相互に連結する第４プレート部材と、遊技媒体を貯留可能な貯留部が形成された受皿を備え、前記前扉下部構成部材は、該前扉下部構成部材の前面下部に、前記受皿が取り付けられる受皿取付面が形成され、前記受皿取付面は、遊技媒体流下樋により流下案内された前記遊技媒体を前記受皿に払い出すための第１遊技媒体払出口を有し、前記第４プレート部材は、前記受皿取付面を覆う取付面被覆部と、前記遊技媒体流下樋の出口近傍の傾斜した底面を覆う樋出口被覆部と、前記前扉下部構成部材の第１遊技媒体払出口に対応して形成された第２遊技媒体払出口と、を備え、前記受皿は、該貯留部底面を覆う底面金属プレートを敷設するとともに、該受皿の奥側の起立面は、前記第４プレート部材により構成され、該第４プレート部材と前記第１プレート部材と前記底面金属プレートと、および、前記第４プレート部材と前記第２プレート部材と前記底面金属プレートとは、各々に形成された取付孔に止着部材を通すことにより止着され、電気伝導可能な状態で互いに接続されていることを特徴としている。
【０００６】
ここで、遊技機には、例えば、パチスロ遊技機或いはスロットマシーンなど、遊技媒体にメダルを用いる遊技機が含まれる他、例えば、パチンコ遊技機、アレンジボール遊技機、雀球遊技機など、遊技媒体に球を用いる弾球遊技機も含まれる。電気的に駆動する内部装置としては、例えば、遊技に関する制御を行う制御装置、ホッパー等のメダル払い出し装置、複数の図柄を可変表示可能なリール式等の変動表示装置、制御装置等に電源を供給する電源装置などが挙げられる。
【０００７】
請求項２記載の発明は、請求項１に記載の遊技機において、前記第１プレート部材と前記第２プレート部材との下部には、それぞれ段差部が形成され、該段差部を境とする下側部分が、上側部分よりも前方にせり出し、前記前扉下部構成部材は、該前扉下部構成部材の下部に、前記第１プレート部材と前記第２プレート部材の前記下側部分がそれぞれ背面側から嵌め込まれることにより、該下側部分を該前扉下部構成部材の前面側に臨ませるための第１開口部と第２開口部が形成され、前記第１プレート部材の前記下側部分は、前記第１開口部を介して前記前扉下部構成部材の前面側に臨ませることで、該下側部分の前面が前記第４プレート部材の裏面下部に当接されるとともに、前記第２プレート部材の前記下側部分は、前記第２開口部を介して前記前扉下部構成部材の前面側に臨ませることで、該下側部分の前面が前記第４プレート部材の裏面下部に当接されることを特徴としている。
【発明の効果】
【０００８】
この請求項１記載の発明によれば、本体枠は導電性の電気伝導手段を内面に沿って形成する一方で、所定幅をもった金属製のプレート部材を額縁状に形成する金属製フレームを周縁部に沿って形成させるとともに、金属製フレームは電気伝導手段と電気的に接続されている。従って、前扉で発生する電荷を金属製フレームから電気伝導手段へと移動させることができる。よって、前扉で発生する電荷の放電面積が増えるので、該電荷を効率的に放電することができる。その結果、前扉で発生する静電気等に基づくノイズの影響で、例えば制御装置等の電気的に駆動する内部装置が誤作動してしまうことを好適に抑制できる。
【０００９】
また、前扉の主構造体である前扉上部構成部材と前扉下部構成部材とを別個に成形して製造することができるため、前扉の主構造体を一部材で構成する場合に比べて、成形が容易となる。従って、前扉の製造コストを低減することが可能となる。また、第１プレート部材により、前扉上部構成部材と前扉下部構成部材とを前扉裏面側の一方の側部にて上下に結合し、第２プレート部材により、前扉上部構成部材と前扉下部構成部材とを前扉裏面側の他方の側部にて上下に結合しているので、前扉上部構成部材と前扉下部構成部材との結合部分にかかる負荷を第１プレート部材と第２プレート部材とで分担することができ、一つのプレート部材で前扉上部構成部材と前扉下部構成部材とを相互に結合する場合に比べて、前扉上部構成部材と前扉下部構成部材との結合強度を向上させることが可能となる。また、第３プレート部材により、第１プレート部材と第２プレート部材とを前扉上部構成部材の裏面側にて相互に連結し、第４プレート部材により、第１プレート部材と第２プレート部材とを前扉下部構成部材の前面側にて相互に連結しているので、第１プレート部材と第２プレート部材との相対位置にズレが生じ難くなる。また、前扉の剛性を高めることができ、前扉の曲げに対する強度を高めるができる。
【００１０】
また、受皿の奥側の起立面は、金属製フレームの一部を構成する第４プレート部材により構成され、該第４プレート部材と底面金属プレートとが電気伝導可能な状態で互いに接続されているので、受皿への遊技媒体排出時に発生する電荷を、底面金属プレートから第４プレート部材等を介して、本体枠内面に放電し易くなる。これにより、内部装置の電気的な誤作動を抑制できるだけでなく、払い出される遊技媒体の帯電も防止できるので、該遊技媒体に触れても、静電気による不快感を受けることがなくなる。
【発明を実施するための最良の形態】
【００１１】
以下、図面を参照して、本発明の実施の形態について説明する。
【００１２】
この実施の形態のパチスロ遊技機（遊技機）１００は、図３に示すように、前面が開口した箱形形状の機枠（本体枠）１と、図１および図２に示すように、この機枠１の前面側に回動可能に軸支された前扉２と、を備えている。この前扉２は、常時は機枠１の前面開口部（開口）を塞ぐ状態に閉じられている。
【００１３】
機枠１は、合板などからなる上下の面板１０１，１０２と左右の側壁１０３，１０４と奥の面板１０５とによって、前面が開口した箱形形状に構成されており、この機枠１の内部には、遊技を統括的に制御する制御装置７０、メダル（遊技媒体）の貯留および受皿１８（後述）への払い出しを行うホッパー８０、このホッパー８０からオーバーフローしたメダルを貯留する貯留箱９０、電源基板（図示略）を収納する基盤ボックス７５、図柄の可変表示を行うためのリール装置２０、中継基板７８（後述）等の電気的に駆動する内部装置が配設されている。このうち、制御装置７０は、ホッパー８０によるメダルの払い出し動作、リール装置２０のリール２０ａ，２０ｂ，２０ｃ（後述）の回転動作等の制御を行う。
【００１４】
ここで、図４を参照して、機枠１を構成する各々の面板について、詳細に説明する。上の面板１０１には、手前側の端部に左右幅方向に亘って設けられる不正防止部（図示略）が取り付けられる取付部１１１が設けられている。この不正防止部によって、機枠１と前扉２との上側の隙間からの針金等の差し込みによる制御装置７０等の内部装置への不正行為が防止されている。下の面板１０２には、ほぼ中央部に、ホッパー８０の取付台８１が取り付けられる取付部１１２とホッパー８０が固定される固定部材（図示略）が取り付けられる取付部１２２が設けられ、奥側の一端に、電源装置が取り付けられる取付部１３２が設けられ、他端に、略楕円形の開口部１４２が設けられている。この開口部１３２は、ホッパー８０からオーバーフローしたメダルが貯留される貯留箱９０の下側開口部を介してメダルを流下させて回収するためのものである。奥の面板１０５の上部には、放熱用の開口部１１５，１１５と、制御装置７０が取り付けられる取付部１２５が設けられ、ほぼ中央部に、メダルの自動循環補給装置（図示略）からホッパー８０にメダルを供給するための略円形の開口部１３５が設けられ、下部の一端には、電源配線通過口１４５が設けられ、下の面板１０２の開口部１３２のほぼ真上には、前記貯留箱９０内のメダルを検出するオーバーフロー検出器（図示略）が取り付けられる取付部１５５が設けられている。左の側壁１０３の手前側の端部には、蝶番装置５１０（後述）が取り付けられる取付部材５２０が取り付けられる取付部５２１，５２１が設けられ、ほぼ中央部に、当該パチスロ遊技機１００を持ち運ぶ際に手を差し入れて該側壁１０３を把持するための貫通穴１１３が設けられている。また、右の側壁１０４の手前側の端部には、鍵装置４１０（後述）が係止されることで前扉２を機枠１に対し閉状態とするための板状部材１３４が設けられ、左の側壁１０３と同様に、ほぼ中央部には、当該パチスロ遊技機１００を持ち運ぶ際に手を差し入れて該側壁１０４を把持するための貫通穴１１４が設けられている。なお、右の側壁１０４の手前側の縁部は、板状部材１３４と略同一の形状に（板状部材１３４の厚み分だけ）座ぐられており、その座ぐられた部分に板状部材１３４が設けられている。さらに、左右の両側壁１０３，１０４に設けられた貫通穴１１３，１１４の上縁部には、該貫通穴１１３，１１４に手が直接触れるのを防止する保護部材４０，４０がそれぞれ設けられている。そして、機枠１の内部には、これら両保護部材４０，４０により左右両端が下側から支持された状態で、板状の載置部材５０が略水平状態に取り付けられ、この載置部材５０上には、上述したリール装置２０が載置されている。なお、貫通穴１１３，１１４は、図１０に示すように、機枠１の内方に設けられ凹状に形成されたカバー部材１２３，１２４によって閉塞された状態となっており、これにより外部からの不正行為が防止されている。
【００１５】
他方、前扉２は、図７に示すように、該前扉２の主構造体であるベース部材２００と、このベース部材２００に対し直接的又は間接的に設けられた各種構成要素からなっている。なお、ベース部材２００は、上部ベース部材（前扉上部構成部材）２１０と下部ベース部材（前扉下部構成部材）２２０からなる分割構造をなしている。これら上下のベース部材２１０，２２０は、互いに左右幅が等しく設定された枠状部材である。これら上下のベース部材２１０，２２０は、互いの下面と上面とが突き合わされた状態で、裏側左右に鍵ユニット４００と蝶番ユニット５００とが固定されることで互いに連結されている（詳細後述）。
【００１６】
図１に示すように、前扉２の前面には、音声による遊技の演出を行うスピーカ部３，３、表示により遊技の演出を行う演出表示装置（図示略）を透視可能な演出表示窓４、内部に設けられたリール装置２０のリール２０ａ，２０ｂ，２０ｃを透視可能なリール表示部５、メダルの投入を行うためのメダル投入口６、メダルのクレジット枚数を表示するクレジット枚数表示部７、メダルの払い出し枚数を表示する払出枚数表示部８、限度枚数（例えば、３枚）のメダルのベットを行うためのマックスベットボタン９、メダルのベットを１枚ずつ行うための１ベットボタン１０、遊技の進行に関する表示を行う遊技進行表示部１１、クレジットされたメダルの払出を行うためのメダル返却スイッチ１２、リール２０ａ〜２０ｃの回転を開始させることで可変表示遊技を開始するためのスタートレバー１３、リール２０ａ，２０ｂ，２０ｃの回転をそれぞれ停止させるためのストップボタン１４ａ，１４ｂ，１４ｃ、前扉２を開くための鍵が差し込まれる鍵穴１５、前扉２の前面の下部領域を構成する飾り板部１６等が設けられ、さらに、前扉２の前面の最下部には灰皿１７およびメダルを貯留するための受皿１８が配設されている。
【００１７】
また、図６に示すように、前扉２の背面側には、スピーカ部３，３の背面側に対応する箇所に配されたスピーカ３ａ，３ａ、演出表示装置の背面側に設けられ、パチスロ遊技機１００に備えられる各種電気部品と制御装置７０とを接続する配線を中継する中継基板７８、メダル投入口６より投入されたメダルをホッパー８０に誘導するメダル誘導樋８５、ホッパー８０から払い出されたメダルや、メダル投入口６から投入されたにも拘わらず受け入れられないでメダル誘導樋８５から戻されたメダルを受皿１８（後述）に流下案内するメダル流下樋８６などが設けられている。
【００１８】
また、図１および図７に示すように、前扉２は、ベース部材２００の前面側に、上部装飾部材３１（リール表示部５の上方）、上部左右装飾部材３２，３２（リール表示部５の左右）、パチスロ遊技機１００に関する情報（パチスロ遊技機１００の機種名など）が表面に示された飾り板部１６（下部中央）、下部左右装飾部材３３，３３（飾り板部１６の左右）および受皿１８を構成するための受皿ユニット６００などの構成要素を備えている。
【００１９】
なお、スタートレバー１３、ストップボタン１４ａ〜１４ｃ、および、メダル投入口６のカバー部材６ａ等は、カバー部材３７を介して、ベース部材２００に取り付けられている。
【００２０】
パチスロ遊技機１００は、以上のように概略構成されていて、以下に説明するようにして遊技が行われるようになっている。
【００２１】
先ず、メダル投入口６よりメダルを投入した状態で、或いは、マックスベットボタン９又は１ベットボタン１０の操作によりベットを行った状態で、スタートレバー１３を操作する。すると、リール装置２０のステッピングモータによりリール２０ａ〜２０ｃが回転駆動され、これによりリール２０ａ〜２０ｃに付された複数の図柄がリール表示部５にて移動する可変表示遊技が行われる。その後、所定時間が経過するか又はストップボタン１４ａ〜１４ｃを操作することでリール２０ａ〜２０ｃの回転駆動がそれぞれ停止され、リール表示部５において、リール２０ａ〜２０ｃ毎に３つずつの図柄が停止表示される。このように、メダル投入口６にメダルが投入されたことなどに基づき所定の遊技が行われた結果、リール表示部５にて予め設定された有効な表示ライン上において停止表示された図柄の組合せに応じて、メダルの払い出しの有無などが決定される。また、特に、可変表示遊技の結果、リール表示部５にて停止表示された図柄が、表示ライン上において特定表示結果（例えば、７，７，７のぞろ目など）となると特別遊技状態を発生して所定の遊技価値（例えば、メダルの大量獲得が可能な状態など）を付与可能となる。通常の遊技中、又は特別遊技状態において、メダルの払い出しがある場合には、所定数のメダルがクレジットされるか、又は、ホッパー８０から受皿１８に払い出される。
【００２２】
次ぎに、本発明に係る要部の構成について説明する。
【００２３】
先ず、パチスロ遊技機１００の前扉２は、例えば図６に示すように、額縁状に形成された金属製フレーム３００を周縁部に沿って備えている。この金属製フレーム３００は、例えば、ベース部材２００の上下の縁部に、各々長手方向が略水平となるように設けられた上部金属プレート（第３プレート部材）３１０および下部金属プレート（第４プレート部材）３２０と、ベース部材２００の左右の縁部に、各々長手方向が略鉛直となるように設けられた左部金属プレート（第１プレート部材）３３０および右部金属プレート（第２プレート部材）３４０と、の４つのプレート（所定幅をもった金属製のプレート部材）を、総体として額縁状となるように各々の端部どうしを接続して構成したものである。以下、金属製フレーム３００の各構成要素について詳細に説明する。
【００２４】
先ず、上部金属プレート３１０は、左右に長尺な板状部材であり、その左右幅が上部ベース部材２１０の左右幅と略等しく設定されている（実際には、例えば上部ベース部材２１０の左右幅よりも若干小さく設定されている）。この上部金属プレート３１０は、上部ベース部材２１０の上縁部に沿って取り付けられている。なお、この上部金属プレート３１０の取り付けは、スピーカ３ａ，３ａを、上部ベース部材２１０の上縁部左右に形成されたスピーカ収納凹部２１８，２１８内にそれぞれ配設した状態で行うこととし、該取り付けを行うことにより、スピーカ３ａ，３ａは、上部金属プレート３１０によって後方移動が規制された状態となってスピーカ収納凹部２１８，２１８から外れないようにされている。
【００２５】
下部金属プレート３２０は、金属製フレーム３００の一部を構成するとともに受皿１８の奥側起立面１８ａを構成する部材である。この下部金属プレート３２０は、例えば図６に示すように、左右に長尺な板状部材であり、その左右幅が下部ベース部材２２０の左右幅と略等しく設定されている（実際には、例えば下部ベース部材２２０の左右幅よりも若干小さく設定されている）。ここで、下部ベース部材２２０の前面下部には、受皿ユニット６００が取り付けられる受皿取付面２２１が形成され、この受皿取付面２２１には、メダル流下樋８６により流下案内されたメダルを受皿１８に払い出すためのメダル払出口２２２が開口している。他方、下部金属プレート３２０は、下部ベース部材２２０の受皿取付面２２１を覆う取付面被覆部３２１と、メダル流下樋８６の出口近傍の傾斜した床面を覆う樋出口被覆部３２２と、下部ベース部材２２０のメダル払出口２２２に対応して形成されたメダル払出口３２３と、を備えている。このうち、樋出口被覆部３２２は、略コ字状に切り欠かれた切り欠き片（ただし開口側が下向き）を、奥側に傾倒するように曲げ加工することにより形成され、該樋出口被覆部３２２を形成することによりメダル払出口３２３も形成されている。
【００２６】
また、受皿ユニット６００は、例えば図７に示すように、横幅が下部ベース部材２２０の横幅と略等しく設定されており、受皿１８の大部分を構成する受皿構成部６１０と、この受皿構成部６１０の横隣に設けられた灰皿１７とを備えて概略構成されている（ここで、受皿構成部６１０は、下部金属プレート３２０及び底面金属プレート６２０とともにメダルを貯留可能な貯留部を構成する；詳細後述）。このうち、受皿構成部６１０は、底面と、手前側および左右の壁部と、上側開口部６１１と、を備え、全体として前方に突出した受皿形状に形成されているが、さらに奥側開口部６１２を有している。また、受皿ユニット６００には、底面金属プレート６２０が取り付けられている。すなわち、この底面金属プレート６２０は、左右に長尺な断面略Ｌ字状の部材であり、一方の板状部６２１が受皿構成部６１０の上面（底面）を略水平状態で覆うとともに、他方の板状部６２２が、該一方の板状部６２１よりも後側、かつ、下側となって、略鉛直状態となるように、受皿ユニット６００に取り付けられている。このように、受皿ユニット６００には、受皿構成部６１０の底面を覆う底面金属プレート６２０が敷設されている。
【００２７】
左部金属プレート３３０は、例えば図６に示すように、上下に長尺な板状部材であり、その上下幅が、ベース部材２００の上縁部から下縁部に亘る長さに設定されている。この左部金属プレート３３０は、金属製フレーム３００の一部を構成するとともに鍵ユニット４００の一部を構成する部材であり、該鍵ユニット４００としてベース部材２００に取り付けられる。
【００２８】
右部金属プレート３４０は、例えば図６に示すように、上下に長尺な板状部材であり、左部金属プレート３３０と同様に、その上下幅が、ベース部材２００の上縁部から下縁部に亘る長さに設定されている。この右部金属プレート３４０は、金属製フレーム３００の一部を構成するとともに蝶番ユニット５００の一部を構成する部材であり、該蝶番ユニット５００としてベース部材２００に取り付けられる。
【００２９】
これら左部金属プレート３３０と右部金属プレート３４０との下部には、それぞれ段差部３３１，３４１が形成され、該段差部３３１，３４１を境とする下側部分３３２，３４２が、上側部分３３３，３４３よりも前方にせり出している。他方、下側ベース部材２２０の下部には、左部金属プレート３３０と右部金属プレート３４０との下側部分３３２，３４２がそれぞれ背面側から嵌め込まれることにより、該下側部分３３２，３４２を該下側ベース部材２２０の前面側に臨ませるための開口部２２５，２２６が形成されている。なお、開口部２２５の開口面積は、左部金属プレート３３０の下側部分３３２の面積と略等しいか又は若干大きく設定され、同様に、開口部２２６の開口面積は、右部金属プレート３４０の下側部分３４２の面積と略等しいか又は若干大きく設定されている。
【００３０】
また、鍵ユニット４００は、例えば図７に示すように、左部金属プレート３３０と、この左部金属プレート３３０に設けられた鍵装置４１０とを備えて構成されている。この鍵装置４１０は、前扉２を機枠１に対し閉状態に維持させるために鍵を掛けたり、或いは、開状態にするために鍵を開いたりするためのものであり、当該パチスロ遊技機１００の前面側に臨む鍵穴１５を有している。他方、蝶番ユニット５００は、右部金属プレート３４０と、この右部金属プレート３４０に設けられた、例えば上下一対の蝶番装置（蝶番機構）５１０とを備えて構成されている。この蝶番装置５１０は、金属製であり、導電性を有する。これら蝶番装置５１０が、機枠１の内側の一側方に設けられた取付部材（図示略）に取り付けられ、これによりベース部材２００が機枠１に対し回動自在となり、従って、前扉２も機枠１に対し回動自在となっている。
【００３１】
次にベース部材２００の組み付け、並びに、該ベース部材２００への受皿ユニット６００、鍵ユニット４００および蝶番ユニット５００の取り付けについて説明する。
【００３２】
先ず、受皿ユニット６００を、該受皿ユニット６００と下部ベース部材２２０の受皿取付面２２１との間に下部金属プレート３２０を挟み込ませるとともに、該下部金属プレート３２０により受皿ユニット６００の奥側開口部６１２が塞がれるようにして、受皿取付面２２１に対し係止状態で取り付ける。これにより、下部金属プレート３２０の前面と受皿構成部６１０とにより受皿１８が構成される。なお、受皿１８の奥側の起立面は、下部金属プレート３２０の前面により構成されている。しかも、ベース部材２００と下部金属プレート３２０のメダル払出口２２２，３２３が重ね合わせられ、これらメダル払出口２２２，３２３を介して、受皿１８にメダルを払い出し可能な状態となる。加えて、底面金属プレート６２０の裏面が、下部金属プレート３２０の前面下部に当接した状態となり、これら両プレート３２０，６２０が互いに電気伝導可能な状態となる。
【００３３】
さらに、上部ベース部材２１０と下部ベース部材２２０とを上下に突き合わせた状態で、これら両ベース部材２１０，２２０の裏面側に、以下の要領で、鍵ユニット４００と蝶番ユニット５００とを取り付ける。
【００３４】
鍵ユニット４００は、その左部金属プレート３３０を、上部ベース部材２１０と下部ベース部材２２０との（裏面から見て）左側部分（例えば、左縁部）に、これら両ベース部材２１０，２２０間に跨るように取り付ける。すなわち、左部金属プレート３３０は、その上縁部に設けられた取付穴３３５を介して、上部金属プレート３１０の左縁部に設けられた取付穴（図示略）に対し、例えばビスなどの止着部材を通すことで、該上部金属プレート３１０と連結する。他方、左部金属プレート３３０の下側部分３３２は、開口部２２５を介して下部ベース部材２２０の前面側に臨ませることで、該下側部分３３２の前面が下部金属プレート３２０の裏面下部に当接させ、この状態で、下側部分３３２に形成された取付孔３３６を介して、例えばビスなどの止着部材を下部金属プレート３２０および底面金属プレート６２０にそれぞれ形成された取付孔に通すことで、下部金属プレート３２０および底面金属プレート６２０と連結する。これにより、左部金属プレート３３０、下部金属プレート３２０および底面金属プレート６２０は相互に電気伝導可能な状態となる。
【００３５】
同様に、蝶番ユニット５００は、その右部金属プレート３４０を、上部ベース部材２１０と下部ベース部材２２０との裏面右側部分（例えば、右縁部）に、これら両ベース部材２１０，２２０間に跨るように取り付ける。すなわち、右部金属プレート３４０は、その上縁部に設けられた取付穴３４５を介して、上部金属プレート３１０の左縁部に設けられた取付穴（図示略）に対し、例えばビスなどの止着部材を通すことで、該上部金属プレート３１０と連結する。また、右部金属プレート３４０は、その下側部分３４２が、開口部２２６を介して下部ベース部材２２０の前面側に臨ませることで、該下側部分３４２の前面が下部金属プレート３２０の裏面下部に当接させ、この状態で、下側部分３４２に形成された取付孔３４６を介して、例えばビスなどの止着部材を下部金属プレート３２０および底面金属プレート６２０にそれぞれ形成された取付孔に通すことで、下部金属プレート３２０および底面金属プレート６２０と連結する。これにより、右部金属プレート３４０、下部金属プレート３２０および底面金属プレート６２０は相互に電気伝導可能な状態となる。なお、鍵ユニット４００と蝶番ユニット５００との取り付けは、順序不同で行って良い。
【００３６】
また、このように、上下のベース部材２１０，２２０の互いの下面と上面とを突き合わした状態で、これら上下のベース部材２１０，２２０の裏側左右に鍵ユニット４００（の右部金属プレート３４０）と蝶番ユニット５００（の左部金属プレート３３０）とを取り付けることにより、上下のベース部材２１０，２２０が互いに連結されてベース部材２００が構成される。
【００３７】
また、鍵ユニット４００と蝶番ユニット５００との取り付けを上記のように行う結果、上部金属プレート部材３１０は、左部金属プレート部材３３０と右部金属プレート部材３４０との上縁部どうしの間に架設され、これら上縁部どうしを上部ベース部材２１０の裏面側にて左右に連結した状態となる一方、下部金属プレート部材３２０は、左部金属プレート部材３３０と右部金属プレート部材３４０との下縁部どうしの間に架設され、これら下縁部どうしを下部ベース部材２２０の前面側にて左右に連結した状態となる。
【００３８】
前扉２は、以上のように構成されている。
【００３９】
他方、本発明に係るパチスロ遊技機１００の機枠１の内面１ａには、アルミ箔シール８００（電気伝導手段；図９）が施されている。
【００４０】
ここで、機枠１は、図３に示すように、少なくとも一面にアルミ箔シール８００（図９）が貼付された合板などからなる上下の面板１０１、１０２と左右の側壁１０３、１０４とを、アルミ箔シール８００を有する面が機枠１の内面１ａを構成するように矩形枠状に組み立てる一方で、該矩形枠の裏側に、同じく合板などからなる奥の面板１０５をアルミ箔シール８００を有する面が機枠１の内面１ａを構成するように設けることで、前面が開口した箱形形状に構成されている。従って、機枠１の内面１ａが、全てアルミ箔シール８００により覆われている。さらに、機枠１の内面１ａのうち、該機枠１を構成する各々の面板どうしの各接続部には、例えば、図９（ａ）に示すように、導電性シール１１０が貼設され、これにより、機枠１の内面１ａの各部位間で、相互に電気伝導可能な状態となっている。なお、図９（ａ）には、上の面板１０１と右の側壁１０４との接続部１ｂを例示する。
【００４１】
次に、機枠１に対する前扉２の取り付けを説明する。
【００４２】
先ず、機枠１の一方の側壁の内面、具体的には、例えば、（正面から見て）左の側壁１０３の内面に、上下一対の蝶番装置５１０を取り付けるための取付部材５２０を、例えばビスなどの止着部材（図示略）によって固定する。さらに、この取付部材に、双方の蝶番装置５１０を、例えばビスなどの止着部材（図示略）を介して取り付けることにより、前扉２が機枠１に対し回動自在に取り付けられる。
【００４３】
これにより、前扉２に設けられた金属製フレーム３００が、金属製の蝶番装置５１０を介して、機枠１に対し回動可能に該機枠１のアルミ箔シール８００が貼付された内面１ａに軸支された状態となる。つまり、前扉２の金属製フレーム３００と機枠１の内面１ａとが、相互に電気伝導可能な状態となる。
【００４４】
なお、下部ベース部材２２０の裏面側下部には、該下部の左右幅方向に亘って不正防止部２２７（図８）が略水平状態に後方に突出するように設けられている。従って、前扉２を機枠１に対し閉じた状態では、該機枠１と前扉２との下側の隙間からの針金等の差し込みによるメダル払出装置やメダル流下樋８６等の内部装置への不正行為が防止されている。
【００４５】
以上のように、この実施の形態のパチスロ遊技機１００によれば、機枠１は導電性の電気伝導手段としてのアルミ箔シール８００を内面１ａに沿って備える一方で、前扉２は略ロ字状の金属製フレーム３００を周縁部に沿って備え、該金属製フレーム３００が、その一側部を、金属製の蝶番装置５１０を介して、機枠１に対し回動可能に該機枠１の内面１ａに軸支され、蝶番装置５１０を介してアルミ箔シール８００と電気的に接続されているので、前扉２で発生する電荷を金属製フレーム３００から蝶番装置５１０を介して機枠１の内面のアルミ箔シール８００へと移動させることができる。よって、前扉２で発生する電荷の放電面積が増えるので、該電荷を効率的に放電することができ、前扉２で発生する静電気等に基づくノイズの影響で、例えば制御装置等の電気的に駆動する内部装置が誤作動してしまうことを好適に抑制できる。
【００４６】
また、この実施の形態では、電気伝導手段は薄膜状のアルミ箔シール８００であるので、機枠１内部の空間を有効利用することができる。よって、機枠１の大きさが限られている場合にも、好適にノイズの影響を低減することができる。
【００４７】
また、前扉２のベース部材２００が、上部ベース部材２１０と下部ベース部材２２０との分割構造であるので、これら両ベース部材２１０，２２０を別個に成形して製造することができる。このため、前扉２の主構造体を一部材で構成する場合に比べて成形が容易となり、前扉２の製造コストを低減することが可能となる。さらに、左部金属プレート３３０により、上部ベース部材２１０と下部ベース部材２２０とを前扉２裏面側の一方の側部にて上下に結合し、同様に、右部金属プレート３４０により、上部ベース部材２１０と下部ベース部材２２０とを前扉２裏面側の他方の側部にて上下に結合しているので、上下のベース部材２１０，２２０どうしの結合部分にかかる負荷を左右の金属プレート３３０，３４０で分担することができ、一つの金属プレートで上下のベース部材２１０，２２０を相互に結合する場合に比べて結合強度を高めることができる。また、上部金属プレート３１０により、左右の金属プレート３３０，３４０どうしを上部ベース部材２１０の裏面側にて相互に連結し、同様に、下部金属プレート３２０により、左右の金属プレート３３０，３４０どうしを下部ベース部材２２０の前面側にて相互に連結しているので、左右の金属プレート３３０，３４０の相対位置にズレが生じ難くなる。また、前扉２の剛性を高めることができ、前扉２の曲げ強度を高めることができる。
【００４８】
さらに、受皿１８の奥側の起立面は、金属製フレーム３００の一部を構成する下部金属プレート３２０により構成され、該下部金属プレート３２０と底面金属プレート６２０とが電気伝導可能な状態で互いに接続されているので、受皿１８へのメダル払い出し時に発生する電荷を、底面金属プレート６２０から下部金属プレート３２０等を介して、機枠１の内面１ａに放電し易くなる。これにより、内部装置の電気的な誤作動を抑制できるだけでなく、払い出されるメダルの帯電も防止できるので、該メダルに触れても、静電気による不快感を受けることがなくなる。
【００４９】
＜電気伝導手段の変形例１＞機枠１の内面１ａに施されたアルミ箔シール８００に代えて、機枠１の内面１ａにメッキ９００を施しても良い。
【００５０】
＜電気伝導手段の変形例２＞或いは、機枠１の内面１ａに施されたアルミ箔シール８００に代えて、機枠１の内面１ａに沿って配された導電性部材を電気伝導手段として適用しても良い。すなわち、例えば図９（ｂ）に示すように、例えば樹脂からなる板状部材の片面にメッキ９００を施すことにより構成された導電性部材７００を、機枠１の内面１ａの全面に沿って配設しても良い。また、このような導電性部材７００の機枠１内面側の表面を凹凸面とすることにより、表面積が増えるので、放電効果を向上させることができる。
【００５１】
このような変形例２によれば、機枠１の内面１ａに沿って配された導電性部材７００を電気伝導手段として適用するので、該導電性部材７００が埃等で汚れ、ノイズ低減効果が得られなくなった場合等に、該導電性部材７００を容易に交換可能である。
【００５２】
なお、変形例は、上記の例に限らず、例えば金属板を導電性部材として用いても良く、この場合には、機枠１の剛性を高めて機枠１の強度を高めることもできる。さらに、導電性樹脂により構成された導電性部材を用いることとしても良い。
【００５３】
なお、本発明はこの実施の形態のパチスロ遊技機１００に限られるものではなく、例えば、その他のパチスロ遊技機やスロットマシーン、或いはパチンコ遊技機、アレンジボール遊技機、雀球遊技機などの弾球遊技機にも適用可能である。また、前扉２が備える金属製フレーム３００、金属製の蝶番装置５１０、および機枠１のメッキ加工された内面１ａのうち、少なくともいずれか一つを、グランド接続することとしても良い。この場合、放電効果がより一層向上する。さらに、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５４】
請求項１記載の発明によれば、本体枠は導電性の電気伝導手段を内面に沿って形成する一方で、所定幅をもった金属製のプレート部材を額縁状に形成する金属製フレームを周縁部に沿って形成させるとともに、金属製フレームは電気伝導手段と電気的に接続されている。従って、前扉で発生する電荷を金属製フレームから電気伝導手段へと移動させることができる。よって、前扉で発生する電荷の放電面積が増えるので、該電荷を効率的に放電することができる。その結果、前扉で発生する静電気等に基づくノイズの影響で、例えば制御装置等の電気的に駆動する内部装置が誤作動してしまうことを好適に抑制できる。
【００５５】
また、前扉の主構造体である前扉上部構成部材と前扉下部構成部材とを別個に成形して製造することができるため、前扉の主構造体を一部材で構成する場合に比べて、成形が容易となる。従って、前扉の製造コストを低減することが可能となる。また、第１プレート部材により、前扉上部構成部材と前扉下部構成部材とを前扉裏面側の一方の側部にて上下に結合し、第２プレート部材により、前扉上部構成部材と前扉下部構成部材とを前扉裏面側の他方の側部にて上下に結合しているので、前扉上部構成部材と前扉下部構成部材との結合部分にかかる負荷を第１プレート部材と第２プレート部材とで分担することができ、一つのプレート部材で前扉上部構成部材と前扉下部構成部材とを相互に結合する場合に比べて、前扉上部構成部材と前扉下部構成部材との結合強度を向上させることが可能となる。また、第３プレート部材により、第１プレート部材と第２プレート部材とを前扉上部構成部材の裏面側にて相互に連結し、第４プレート部材により、第１プレート部材と第２プレート部材とを前扉下部構成部材の前面側にて相互に連結しているので、第１プレート部材と第２プレート部材との相対位置にズレが生じ難くなる。また、前扉の剛性を高めることができ、前扉の曲げに対する強度を高めるができる。
【００５６】
また、受皿の奥側の起立面は、金属製フレームの一部を構成する第４プレート部材により構成され、該第４プレート部材と底面金属プレートとが電気伝導可能な状態で互いに接続されているので、受皿への遊技媒体排出時に発生する電荷を、底面金属プレートから第４プレート部材等を介して、本体枠内面に放電し易くなる。これにより、内部装置の電気的な誤作動を抑制できるだけでなく、払い出される遊技媒体の帯電も防止できるので、該遊技媒体に触れても、静電気による不快感を受けることがなくなる。
【図面の簡単な説明】
【００５７】
【図１】本発明に係る遊技機の一形態として例示するパチスロ遊技機を示す斜視図である。
【図２】図１のパチスロ遊技機の前扉を開いた状態を示す斜視図である。
【図３】図１のパチスロ遊技機の本体枠を示す斜視図である。
【図４】図１のパチスロ遊技機の本体枠の構成要素の展開図である。
【図５】図１のパチスロ遊技機の右側面図である。
【図６】図１のパチスロ遊技機の背面図である。
【図７】図１のパチスロ遊技機が備える前扉の分解斜視図である。
【図８】図１のパチスロ遊技機が備える底面金属プレートと下部金属プレートとの接続状態を示す断面図である。
【図９】（ａ）は、図１のパチスロ遊技機の本体枠を構成する面板同士の接続状態を示す要部拡大断面図である、（ｂ）は、メッキが施される面を凹凸面とした場合の導電性部材を示す要部拡大断面図である。
【図１０】図１のパチスロ遊技機の本体枠を構成する左の側壁を示す要部拡大断面図である。
【符号の説明】
【００５８】
１  機枠（本体枠）
８００  アルミ箔シール（電気伝導手段）
９００  メッキ（電気伝導手段）
２  前扉
２１０  上部ベース部材（前扉上部構成部材）
２２０  下部ベース部材（前扉下部構成部材）
３００  金属製フレーム
３１０  上部金属プレート（第３プレート部材）
３２０  下部金属プレート（第４プレート部材）
３３０  左部金属プレート（第１プレート部材）
３４０  右部金属プレート（第２プレート部材）
５１０  蝶番装置（蝶番機構）
１８  受皿
６２０  底面金属プレート
１００  パチスロ遊技機（遊技機）
７００  導電性部材（電気伝導手段）
【図１】
2007105544.tif 000003
【図２】
2007105544.tif 000004
【図３】
2007105544.tif 000005
【図４】
2007105544.tif 000006
【図５】
2007105544.tif 000007
【図６】
2007105544.tif 000008
【図７】
2007105544.tif 000009
【図８】
2007105544.tif 000010
【図９】
2007105544.tif 000011
【図１０】
2007105544.tif 000012